(57)【要約】【課題】  電話と情報処理端末とを連携する端末連携方法において、両端末を直接接続するだけで、簡単かつ安価に両端末の連携と同時利用を実現すること。【解決手段】  ユーザが、電話Ａの内蔵ハブに相当するデータ中継手段Ａ２２を介して電話Ａと情報処理端末Ａとを接続すると、まず、電話Ａが接続された情報処理端末Ａのアドレス６０を特定し、次に、電話Ａが自身の電話アドレス５０と特定した情報処理端末Ａの端末アドレス６０を管理装置１２のペア管理装置１０に送信し、これらのアドレスをペア管理装置１０においてペア情報記憶装置１１に記憶し、受信したアドレスのペアにより両端末Ａ、Ａの連携設定が完了する。【選択図】図２
2009188467.tif 000002
【特許請求の範囲】
【請求項１】
電話が、少なくとも電話に接続される情報処理端末が送受信する通信データを中継して前記情報処理端末の端末アドレスを特定し、電話アドレス記憶手段に記憶した自己の電話アドレスと前記端末アドレスとを管理装置へ送信し、
前記管理装置が、前記電話アドレスと前記端末アドレスとを電話から受信して、前記電話アドレスと前記端末アドレスとをペア情報記憶手段に記憶することを特徴とする端末連携方法。
【請求項２】
前記記憶するステップは、ペア情報記憶手段に受信した電話アドレスと一致するものがない場合、電話と情報処理端末とのペアの情報に前記受信した電話アドレスと受信した端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新することを特徴とする請求項１記載の端末連携方法。
【請求項３】
前記電話は、前記情報処理端末が送受信するパケットのヘッダ情報から前記情報処理端末の端末アドレスを特定することを特徴とする請求項１又は２記載の端末連携方法。
【請求項４】
前記電話は、ＭＡＣアドレステーブルを参照し、前記情報処理端末に接続する接続部に対応するＭＡＣアドレスを前記情報処理端末の端末アドレスとして特定することを特徴とする請求項１又は２記載の端末連携方法。
【請求項５】
前記電話は、ＭＡＣアドレステーブルを参照し、前記情報処理端末に接続する接続部に対応するＭＡＣアドレスを採取し、ＲＡＲＰを用いて、採取したＭＡＣアドレスに対応するＩＰアドレスを取得し、これを前記情報処理端末の端末アドレスとして特定することを特徴とする請求項１又は２記載の端末連携方法。
【請求項６】
前記電話は、前記情報処理端末に端末アドレスを要求し、
前記情報処理端末は、端末アドレス記憶手段に記憶した自己の端末アドレスを取得して前記電話に返信し、
前記電話は前記端末アドレスを情報処理端末の端末アドレスとして特定することを特徴とする請求項１又は２記載の端末連携方法。
【請求項７】
前記電話は、前記端末アドレスを特定するステップを、電話の電源投入時、または情報処理端末のリンクアップを特定した時、または通信手段がユーザから前記端末アドレスを特定するステップの指示を受け取った時、または繰り返して実行することを特徴とする請求項１乃至６のいずれか一に記載の端末連携方法。
【請求項８】
電話の電話アドレスと情報処理端末の端末アドレスとを含むペアの情報を記憶するペア情報記憶手段と、前記電話アドレスと前記端末アドレスとを電話から受信して前記ペア情報記憶手段に記憶するペア管理手段とを有する管理装置と、
自己の電話アドレスを記憶する電話アドレス記憶手段と、少なくとも電話に接続される情報処理端末が送受信する通信データを中継するデータ中継手段と、前記データ中継手段が中継する通信データから前記情報処理端末の端末アドレスを特定し前記電話アドレスと前記端末アドレスとを前記ペア管理手段へ送信する端末アドレス特定手段と、を有する電話と、を備えることを特徴とする端末連携システム。
【請求項９】
前記端末アドレス特定手段は、前記電話アドレス記憶手段内に記憶した電話アドレスと、検出した端末アドレスとを前記管理装置へ送信し、
前記ペア管理手段は、前記ペア情報記憶手段に前記受信した電話アドレスと一致するものがない場合、電話と情報処理端末のペアの情報にを前記受信した電話アドレスと端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新することを特徴とする請求項８記載の端末連携システム。
【請求項１０】
前記端末アドレス特定手段は、前記データ中継手段が中継するパケットのヘッダ情報から前記情報処理端末の端末アドレスを特定することを特徴とする請求項８又は９記載の端末連携システム。
【請求項１１】
前記端末アドレス特定手段は、前記データ中継手段が管理するＭＡＣアドレステーブルを参照し、前記情報処理端末に接続する接続部に対応するＭＡＣアドレスを前記情報処理端末の端末アドレスとして特定することを特徴とする請求項８又は９記載の端末連携システム。
【請求項１２】
前記端末アドレス特定手段は、前記データ中継手段が管理するＭＡＣアドレステーブルを参照し、前記情報処理端末に接続する接続部に対応するＭＡＣアドレスを採取し、ＲＡＲＰを用いて、採取したＭＡＣアドレスに対応するＩＰアドレスを取得し、これを前記情報処理端末の端末アドレスとして特定することを特徴とする請求項８又は９記載の端末連携システム。
【請求項１３】
前記情報処理端末は、自己の端末アドレスを記憶する端末アドレス記憶手段を備え、
前記端末アドレス特定手段は、前記データ中継手段を介して前記情報処理端末の通信手段に端末アドレスを要求し、
前記情報処理端末の通信手段は、前記端末アドレス記憶手段に記憶した自己の端末アドレスを取得して端末アドレス特定手段に返信し、
前記端末アドレス特定手段が前記端末アドレスを情報処理端末の端末アドレスとして特定することを特徴とする請求項８又は９記載の端末連携システム。
【請求項１４】
前記電話は、電話の操作や前記操作の結果の表示の入出力を行う通信手段を備え、
前記端末アドレス特定手段による端末アドレスを特定するステップを、電話の電源投入時、またはデータ中継手段が情報処理端末のリンクアップを検出した時、または通信手段がユーザから前記端末アドレスを特定するステップの指示を受け取った時、または繰り返して実行することを特徴とする請求項８乃至１３のいずれか一に記載の端末連携システム。
【請求項１５】
自己の電話アドレスを記憶する電話アドレス記憶手段と、少なくとも電話に接続される情報処理端末が送受信する通信データを中継するデータ中継手段と、前記データ中継手段が中継する通信データから前記情報処理端末の端末アドレスを特定し前記電話アドレスと前記端末アドレスとを外部へ送信する端末アドレス特定手段とを備えることを特徴とする電話。
【請求項１６】
前記端末アドレス特定手段は、前記データ中継手段が中継するパケットのヘッダ情報から前記情報処理端末の端末アドレスを特定することを特徴とする請求項１５記載の電話。
【請求項１７】
前記端末アドレス特定手段は、前記データ中継手段が管理するＭＡＣアドレステーブルを参照し、前記情報処理端末に接続する接続部に対応するＭＡＣアドレスを前記情報処理端末の端末アドレスとして特定することを特徴とする請求項１５記載の電話。
【請求項１８】
前記端末アドレス特定手段は、前記データ中継手段が管理するＭＡＣアドレステーブルを参照し、前記情報処理端末に接続する接続部に対応するＭＡＣアドレスを採取し、ＲＡＲＰを用いて、採取したＭＡＣアドレスに対応するＩＰアドレスを取得し、これを前記情報処理端末の端末アドレスとして特定することを特徴とする請求項１５記載の電話。
【請求項１９】
前記端末アドレス特定手段は、前記データ中継手段を介して前記情報処理端末の通信手段に端末アドレスを要求し、前記情報処理端末の通信手段から受信した端末アドレスを前記情報処理端末の端末アドレスとして特定することを特徴とする請求項１５記載の電話。
【請求項２０】
前記端末アドレス特定手段による端末アドレスを特定するステップを、電話の電源投入時、またはデータ中継手段が情報処理端末のリンクアップを検出した時、または通信手段がユーザから前記端末アドレスを特定するステップの指示を受け取った時、または繰り返して実行することを特徴とする請求項１５乃至１９のいずれか一に記載の電話。
【請求項２１】
少なくとも電話に接続された情報処理端末が送受信する通信データを中継して、前記情報処理端末の端末アドレスを特定し、電話アドレス記憶手段に記憶した電話アドレスと前記端末アドレスとを送信することを特徴とする連携情報送信方法。
【請求項２２】
中継するパケットのヘッダ情報から前記情報処理端末の端末アドレスを特定することを特徴とする請求項２１記載の連携情報送信方法。
【請求項２３】
ＭＡＣアドレステーブルを参照し、前記情報処理端末に接続する接続部に対応するＭＡＣアドレスを前記情報処理端末の端末アドレスとして特定することを特徴とする請求項２１記載の連携情報送信方法。
【請求項２４】
ＭＡＣアドレステーブルを参照し、前記情報処理端末に接続する接続部に対応するＭＡＣアドレスを採取し、ＲＡＲＰを用いて、採取したＭＡＣアドレスに対応するＩＰアドレスを取得し、これを前記情報処理端末の端末アドレスとして特定することを特徴とする請求項２１記載の連携情報送信方法。
【請求項２５】
前記情報処理端末に端末アドレスを要求し、前記情報処理端末から受信した端末アドレスを前記情報処理端末の端末アドレスとして特定することを特徴とする請求項２１記載の連携情報送信方法。
【請求項２６】
コンピュータを、
少なくとも電話に接続される情報処理端末が送受信する通信データを中継するデータ中継手段と、前記データ中継手段が中継する通信データから前記情報処理端末の端末アドレスを特定し、電話アドレス記憶手段に記憶した電話アドレスと前記端末アドレスとを外部へ送信する端末アドレス特定手段として機能させることを特徴とするプログラム。
【請求項２７】
コンピュータを、
前記端末アドレス特定手段が、前記データ中継手段が中継するパケットのヘッダ情報から前記情報処理端末の端末アドレスを特定するように機能させることを特徴とする請求項２６記載のプログラム。
【請求項２８】
コンピュータを、
前記端末アドレス特定手段が、前記データ中継手段が管理するＭＡＣアドレステーブルを参照し、前記情報処理端末に接続する接続部に対応するＭＡＣアドレスを前記情報処理端末の端末アドレスとして特定するように機能させることを特徴とする請求項２７記載のプログラム。
【請求項２９】
コンピュータを、
前記端末アドレス特定手段が、前記データ中継手段が管理するＭＡＣアドレステーブルを参照し、前記情報処理端末に接続する接続部に対応するＭＡＣアドレスを採取し、ＲＡＲＰを用いて、採取したＭＡＣアドレスに対応するＩＰアドレスを取得し、これを前記情報処理端末の端末アドレスとして特定するように機能させることを特徴とする請求項２７記載のプログラム。
【請求項３０】
コンピュータを、
前記端末アドレス特定手段が、前記データ中継手段を介して前記情報処理端末の通信手段に端末アドレスを要求し、前記情報処理端末の通信手段から受信した端末アドレスを前記情報処理端末の端末アドレスとして特定するように機能させることを特徴とする請求項２７記載のプログラム。
【請求項３１】
コンピュータを、
前記端末アドレス特定手段による端末アドレスを特定するステップを、電話の電源投入時、またはデータ中継手段が情報処理端末のリンクアップを検出した時、または通信手段がユーザから前記端末アドレスを特定するステップの指示を受け取った時、または繰り返して実行するように機能させることを特徴とする請求項２７乃至３０のいずれか一に記載のプログラム。
【請求項３２】
外部から受信した電話アドレスに一致する電話アドレスがペア情報記憶手段に記憶されていない場合、電話と情報処理端末とのペアの情報に前記受信した電話アドレスと受信した端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新することを特徴とする情報管理方法。
【請求項３３】
電話と情報処理端末とのペアの情報を記憶するペア情報記憶手段と、外部から電話アドレスと端末アドレスを受信して前記ペア情報記憶手段に記憶するペア管理手段とを備え、
前記ペア管理手段は、前記ペア情報記憶手段に前記受信した電話アドレスと一致するものがない場合、電話と情報処理端末のペアの情報に前記受信した電話アドレスと端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新することを特徴とする管理装置。
【請求項３４】
コンピュータを、
外部から電話アドレスと端末アドレスを受信してペア情報記憶手段に記憶するペア管理手段とを備え、
前記ペア管理手段が、前記ペア情報記憶手段に前記受信した電話アドレスと一致するものがない場合、電話と情報処理端末のペアの情報に前記受信した電話アドレスと端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新するように機能させることを特徴とするプログラム。
【発明の詳細な説明】
【技術分野】
【０００１】
本発明は、電話と、パーソナルコンピュータ（ＰＣ）などの情報処理端末とを連携する端末連携方法に関し、特に両端末を直接接続するだけで、簡単かつ安価に両端末の連携と同時利用を実現する端末連携方法、端末連携システム、連携情報送信方法、電話、電話構築用プログラム、情報管理方法、管理装置、管理装置用プログラムに関する。
【背景技術】
【０００２】
従来から、電話と情報処理端末とを紐付けするようにした端末連携方法が開発されている（特許文献１〜１３）。
例えば、サーバ側で電話と情報処理端末とを紐付けして連携することで、電話による「音声通話」と、情報処理端末によるテキストや画像などを含む文書データを他のユーザとリアルタイムに閲覧・共同編集する「データ共有」との同時利用を実現する方法として、特許文献１記載の発明がある。
【０００３】
特許文献１記載の発明では、まず、電話を用いて音声通話中の両ユーザが、情報処理端末に自分の電話の電話番号を手動で入力（手入力）することで、サーバ側で電話と情報処理端末との連携が行われて、２組のペアが作成される。次に、片方のペアの情報処理端末と、もう片方のペアの情報処理端末との間で、自動的にデータ共有が開始される。
また、サーバ側で連携設定された２台の端末の連携利用を実現する他の方法として、特許文献２記載の発明がある。
【０００４】
特許文献２記載の発明では、複数の電話の電話番号をグループ化して、グループに代表番号を割当てることで、代表番号に電話着信があった場合に、グループ内の全電話を一斉呼出しすることができる。
端末側で２台の端末を直接接続することで、両端末の連携利用を実現する方法として、特許文献３、特許文献４、特許文献５、特許文献６記載の発明がある。
【０００５】
特許文献３記載の発明では、電話着信時に電話に直結された情報処理端末に発信元ユーザの情報を表示するスクリーンポップアップ機能が実現されている。特許文献４記載の発明では、電話での通話音声を直結された情報処理端末に録音する機能が実現されている。特許文献５記載の発明では、携帯電話への着信時に直結された固定電話へ呼が自動転送される機能が実現されている。特許文献６記載の発明では、情報処理端末で呼制御が行われ、情報処理端末に直結された周辺装置でメディア処理が行われる。
【０００６】
特許文献１では、連携を行う際に、音声通話中のユーザに対して、情報処理端末に自分の電話の電話番号を手入力することを強制しており、電話番号の手入力は手間の掛かる作業であるため、電話と情報処理端末の簡単な連携が実現できないという問題がある。
また、ユーザは自分の電話番号は覚えていない場合には、さらに手間が掛かる。電話機に特定の操作を行うことで、自機の電話番号を表示する機能を備えた電話機があるが、通話中は音量調整以外の機能が利用できない機種が多いため、ユーザは電話機を操作しても自分の電話番号を知ることはできない。そのため、自分の電話番号は覚えていないユーザは、他の手段を使って自分の電話番号を調べ出す必要がある。
【０００７】
また、特許文献２では、電話交換機などのサーバ管理者が、複数の電話の電話番号のグループ化の設定作業と、グループへの代表番号の割当て設定作業を、手入力で行う必要があるからである。例えば人事異動などでグループへの電話の追加や削除をする場合には、サーバ管理者がわざわざ設定作業を行わなければならないという問題がある。
また、前記従来の発明では、通常の電話機や、通常のＰＣなどの情報処理端末が備えていない特殊な装置を別途追加購入しなければならず、電話と情報処理端末の安価な連携が実現できないという問題がある。
【０００８】
特許文献３では、図１のように電話機とＰＣとをＲＳ２３２Ｃケーブルで接続する必要があるが、通常の電話機やノートＰＣはＲＳ２３２Ｃのコネクタを備えていない。
特許文献４では、図１０や段落［００３６］のように電話機とＰＣとを電話インタフェース回路３０５で接続する必要があるが、通常のＰＣはそのような特殊な専用ボードを備えていない。
特許文献５では、図２のように固定電話と携帯電話とをＵＳＢポート２０９と充電器３０で接続する必要があるが、通常の固定電話はＵＳＢコネクタや充電器を備えていない。
特許文献６では、図１のＰＣと音声処理周辺装置１０とを接続する必要があるが、通常のＰＣはそのような特殊な周辺装置を備えていない。
【０００９】
【特許文献１】特開２００５−１２３８０号公報
【特許文献２】特開平１０−２８５６２０号公報
【特許文献３】特許第３１７９７５４号
【特許文献４】特開平１１−１２２３９３号公報
【特許文献５】特開２００７−３１８２３２号公報
【特許文献６】特開２００７−１３６０４号公報
【特許文献７】特開２００３−４６６６５号公報
【特許文献８】特開２００５−３１８３４４号公報
【特許文献９】特開２００７−３１８１９２号公報
【特許文献１０】特開平１１−３４６２６６号公報
【特許文献１１】特許第３１３７６９９号公報
【特許文献１２】特許第３３６９１０２号公報
【特許文献１３】特許第３５５５８５２号公報
【非特許文献１】「User Guide for the SoundPoint IP 650」、米ポリコム社、１〜５ページの図（http://www.polycom.com/common/documents/support/user/products/voice/soundpoint_ip650_user_guide.pdf）
【非特許文献２】「ハブの基本動作」、日経ＢＹＴＥ、２００１年８月号、１３２ページ、図８
【非特許文献３】「A Reverse Address Resolution Protocol」、ＩＥＴＦ ＲＦＣ ９０３、１９８４（http://tools.ietf.org/rfc/rfc903.txt）
【発明の開示】
【発明が解決しようとする課題】
【００１０】
本発明は、電話と情報処理端末の簡単な端末連携方法を提供することを課題としている。
また、本発明は、電話と情報処理端末の安価な端末連携方法を提供することを課題としている。
【課題を解決するための手段】
【００１１】
本発明によれば、電話が、少なくとも電話に接続される情報処理端末が送受信する通信データを中継して前記情報処理端末の端末アドレスを特定し、電話アドレス記憶手段に記憶した自己の電話アドレスと前記端末アドレスとを管理装置へ送信し、前記管理装置が、前記電話アドレスと前記端末アドレスとを電話から受信して、前記電話アドレスと前記端末アドレスとをペア情報記憶手段に記憶することを特徴とする端末連携方法が提供される。
【００１２】
電話が、少なくとも電話に接続される情報処理端末が送受信する通信データを中継して前記情報処理端末の端末アドレスを特定し、電話アドレス記憶手段に記憶した自己の電話アドレスと前記端末アドレスとを管理装置へ送信する。管理装置が、前記電話アドレスと前記端末アドレスとを電話から受信して、前記電話アドレスと前記端末アドレスとをペア情報記憶手段に記憶する。
【００１３】
ここで、前記記憶するステップは、ペア情報記憶手段に受信した電話アドレスと一致するものがない場合、電話と情報処理端末とのペアの情報に前記受信した電話アドレスと受信した端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新するように構成してもよい。
また、前記電話は、前記情報処理端末が送受信するパケットのヘッダ情報から前記情報処理端末の端末アドレスを特定するように構成してもよい。
【００１４】
また、前記電話は、ＭＡＣアドレステーブルを参照し、前記情報処理端末に接続する接続部に対応するＭＡＣアドレスを前記情報処理端末の端末アドレスとして特定するように構成してもよい。
また、前記電話は、ＭＡＣアドレステーブルを参照し、前記情報処理端末に接続する接続部に対応するＭＡＣアドレスを採取し、ＲＡＲＰを用いて、採取したＭＡＣアドレスに対応するＩＰアドレスを取得し、これを前記情報処理端末の端末アドレスとして特定するように構成してもよい。
【００１５】
また、前記電話は、前記情報処理端末に端末アドレスを要求し、前記情報処理端末は、端末アドレス記憶手段に記憶した自己の端末アドレスを取得して前記電話に返信し、前記電話は前記端末アドレスを情報処理端末の端末アドレスとして特定するように構成してもよい。
また、前記電話は、前記端末アドレスを特定するステップを、電話の電源投入時、または情報処理端末のリンクアップを特定した時、または通信手段がユーザから前記端末アドレスを特定するステップの指示を受け取った時、または繰り返して実行するように構成してもよい。
【００１６】
また、本発明によれば、電話の電話アドレスと情報処理端末の端末アドレスとを含むペアの情報を記憶するペア情報記憶手段と、前記電話アドレスと前記端末アドレスとを電話から受信して前記ペア情報記憶手段に記憶するペア管理手段とを有する管理装置と、自己の電話アドレスを記憶する電話アドレス記憶手段と、少なくとも電話に接続される情報処理端末が送受信する通信データを中継するデータ中継手段と、前記データ中継手段が中継する通信データから前記情報処理端末の端末アドレスを特定し前記電話アドレスと前記端末アドレスとを前記ペア管理手段へ送信する端末アドレス特定手段と、を有する電話と、を備えることを特徴とする端末連携システムが提供される。
【００１７】
管理装置のペア管理手段は、電話アドレスと端末アドレスとを電話から受信してペア情報記憶手段に記憶する。電話の端末アドレス特定手段は、少なくとも電話に接続される情報処理端末が送受信する通信データを中継するデータ中継手段と、前記データ中継手段が中継する通信データから前記情報処理端末の端末アドレスを特定し前記電話アドレスと前記端末アドレスとを前記ペア管理手段へ送信する。
【００１８】
ここで、前記端末アドレス特定手段は、前記電話アドレス記憶手段内に記憶した電話アドレスと、検出した端末アドレスとを前記管理装置へ送信し、前記ペア管理手段は、前記ペア情報記憶手段に前記受信した電話アドレスと一致するものがない場合、電話と情報処理端末のペアの情報にを前記受信した電話アドレスと端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新するように構成してもよい。
【００１９】
また、前記端末アドレス特定手段は、前記データ中継手段が中継するパケットのヘッダ情報から前記情報処理端末の端末アドレスを特定するように構成してもよい。
また、前記端末アドレス特定手段は、前記データ中継手段が管理するＭＡＣアドレステーブルを参照し、前記情報処理端末に接続する接続部に対応するＭＡＣアドレスを前記情報処理端末の端末アドレスとして特定するように構成してもよい。
また、前記端末アドレス特定手段は、前記データ中継手段が管理するＭＡＣアドレステーブルを参照し、前記情報処理端末に接続する接続部に対応するＭＡＣアドレスを採取し、ＲＡＲＰを用いて、採取したＭＡＣアドレスに対応するＩＰアドレスを取得し、これを前記情報処理端末の端末アドレスとして特定するように構成してもよい。
【００２０】
また、前記情報処理端末は、自己の端末アドレスを記憶する端末アドレス記憶手段を備え、前記端末アドレス特定手段は、前記データ中継手段を介して前記情報処理端末の通信手段に端末アドレスを要求し、前記情報処理端末の通信手段は、前記端末アドレス記憶手段に記憶した自己の端末アドレスを取得して端末アドレス特定手段に返信し、前記端末アドレス特定手段が前記端末アドレスを情報処理端末の端末アドレスとして特定するように構成してもよい。
【００２１】
また、前記電話は、電話の操作や前記操作の結果の表示の入出力を行う通信手段を備え、前記端末アドレス特定手段による端末アドレスを特定するステップを、電話の電源投入時、またはデータ中継手段が情報処理端末のリンクアップを検出した時、または通信手段がユーザから前記端末アドレスを特定するステップの指示を受け取った時、または繰り返して実行するように構成してもよい。
【００２２】
また、本発明によれば、自己の電話アドレスを記憶する電話アドレス記憶手段と、少なくとも電話に接続される情報処理端末が送受信する通信データを中継するデータ中継手段と、前記データ中継手段が中継する通信データから前記情報処理端末の端末アドレスを特定し前記電話アドレスと前記端末アドレスとを外部へ送信する端末アドレス特定手段とを備えることを特徴とする電話が提供される。
データ中継手段は、少なくとも電話に接続される情報処理端末が送受信する通信データを中継する。端末アドレス特定手段は、データ中継手段が中継する通信データから情報処理端末の端末アドレスを特定し電話アドレスと前記端末アドレスとを外部へ送信する。
【００２３】
ここで、前記端末アドレス特定手段は、前記データ中継手段が中継するパケットのヘッダ情報から前記情報処理端末の端末アドレスを特定するように構成してもよい。
また、前記端末アドレス特定手段は、前記データ中継手段が管理するＭＡＣアドレステーブルを参照し、前記情報処理端末に接続する接続部に対応するＭＡＣアドレスを前記情報処理端末の端末アドレスとして特定するように構成してもよい。
【００２４】
また、前記端末アドレス特定手段は、前記データ中継手段が管理するＭＡＣアドレステーブルを参照し、前記情報処理端末に接続する接続部に対応するＭＡＣアドレスを採取し、ＲＡＲＰを用いて、採取したＭＡＣアドレスに対応するＩＰアドレスを取得し、これを前記情報処理端末の端末アドレスとして特定するように構成してもよい。
また、前記端末アドレス特定手段は、前記データ中継手段を介して前記情報処理端末の通信手段に端末アドレスを要求し、前記情報処理端末の通信手段から受信した端末アドレスを前記情報処理端末の端末アドレスとして特定するように構成してもよい。
【００２５】
また、前記端末アドレス特定手段による端末アドレスを特定するステップを、電話の電源投入時、またはデータ中継手段が情報処理端末のリンクアップを検出した時、または通信手段がユーザから前記端末アドレスを特定するステップの指示を受け取った時、または繰り返して実行するように構成してもよい。
【００２６】
また、本発明によれば、少なくとも電話に接続された情報処理端末が送受信する通信データを中継して、前記情報処理端末の端末アドレスを特定し、電話アドレス記憶手段に記憶した電話アドレスと前記端末アドレスとを送信することを特徴とする連携情報送信方法が提供される。
少なくとも電話に接続された情報処理端末が送受信する通信データを中継して、前記情報処理端末の端末アドレスを特定し、電話アドレス記憶手段に記憶した電話アドレスと前記端末アドレスとを送信する。
【００２７】
ここで、中継するパケットのヘッダ情報から前記情報処理端末の端末アドレスを特定するように構成してもよい。
また、ＭＡＣアドレステーブルを参照し、前記情報処理端末に接続する接続部に対応するＭＡＣアドレスを前記情報処理端末の端末アドレスとして特定するように構成してもよい。
【００２８】
また、ＭＡＣアドレステーブルを参照し、前記情報処理端末に接続する接続部に対応するＭＡＣアドレスを採取し、ＲＡＲＰを用いて、採取したＭＡＣアドレスに対応するＩＰアドレスを取得し、これを前記情報処理端末の端末アドレスとして特定するように構成してもよい。
また、前記情報処理端末に端末アドレスを要求し、前記情報処理端末から受信した端末アドレスを前記情報処理端末の端末アドレスとして特定するように構成してもよい。
【００２９】
また、本発明によれば、コンピュータを、少なくとも電話に接続される情報処理端末が送受信する通信データを中継するデータ中継手段と、前記データ中継手段が中継する通信データから前記情報処理端末の端末アドレスを特定し、電話アドレス記憶手段に記憶した電話アドレスと前記端末アドレスとを外部へ送信する端末アドレス特定手段として機能させることを特徴とするプログラムが提供される。
【００３０】
コンピュータは、プログラムを実行することにより、少なくとも電話に接続される情報処理端末が送受信する通信データを中継するデータ中継手段と、前記データ中継手段が中継する通信データから前記情報処理端末の端末アドレスを特定し、電話アドレス記憶手段に記憶した電話アドレスと前記端末アドレスとを外部へ送信する端末アドレス特定手段として機能する。
【００３１】
ここで、コンピュータを、前記端末アドレス特定手段が、前記データ中継手段が中継するパケットのヘッダ情報から前記情報処理端末の端末アドレスを特定するように機能させるようプログラムを構成してもよい。
また、コンピュータを、前記端末アドレス特定手段が、前記データ中継手段が管理するＭＡＣアドレステーブルを参照し、前記情報処理端末に接続する接続部に対応するＭＡＣアドレスを前記情報処理端末の端末アドレスとして特定するように機能させるようプログラムを構成してもよい。
【００３２】
また、コンピュータを、前記端末アドレス特定手段が、前記データ中継手段が管理するＭＡＣアドレステーブルを参照し、前記情報処理端末に接続する接続部に対応するＭＡＣアドレスを採取し、ＲＡＲＰを用いて、採取したＭＡＣアドレスに対応するＩＰアドレスを取得し、これを前記情報処理端末の端末アドレスとして特定するように機能させるようプログラムを構成してもよい。
【００３３】
また、コンピュータを、前記端末アドレス特定手段が、前記データ中継手段を介して前記情報処理端末の通信手段に端末アドレスを要求し、前記情報処理端末の通信手段から受信した端末アドレスを前記情報処理端末の端末アドレスとして特定するように機能させるようプログラムを構成してもよい。
また、コンピュータを、前記端末アドレス特定手段による端末アドレスを特定するステップを、電話の電源投入時、またはデータ中継手段が情報処理端末のリンクアップを検出した時、または通信手段がユーザから前記端末アドレスを特定するステップの指示を受け取った時、または繰り返して実行するように機能させるようプログラムを構成してもよい。
【００３４】
また、本発明によれば、外部から受信した電話アドレスに一致する電話アドレスがペア情報記憶手段に記憶されていない場合、電話と情報処理端末とのペアの情報に前記受信した電話アドレスと受信した端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新することを特徴とする情報管理方法が提供される。
【００３５】
外部から受信した電話アドレスに一致する電話アドレスがペア情報記憶手段に記憶されていない場合、電話と情報処理端末とのペアの情報に前記受信した電話アドレスと受信した端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新する。
【００３６】
また、本発明によれば、電話と情報処理端末とのペアの情報を記憶するペア情報記憶手段と、外部から電話アドレスと端末アドレス受信して前記ペア情報記憶手段に記憶するペア管理手段とを備え、前記ペア管理手段は、前記ペア情報記憶手段に前記受信した電話アドレスと一致するものがない場合、電話と情報処理端末のペアの情報にを前記受信した電話アドレスと端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新することを特徴とする管理装置が提供される。
【００３７】
ペア管理手段は、ペア情報記憶手段に前記受信した電話アドレスと一致するものがない場合、電話と情報処理端末のペアの情報にを前記受信した電話アドレスと端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新する。
【００３８】
また、本発明によれば、コンピュータを、外部から電話アドレスと端末アドレス受信してペア情報記憶手段に記憶するペア管理手段とを備え、前記ペア管理手段が、前記ペア情報記憶手段に前記受信した電話アドレスと一致するものがない場合、電話と情報処理端末のペアの情報に前記受信した電話アドレスと端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新するように機能させることを特徴とするプログラムが提供される。
【００３９】
コンピュータは、プログラムを実行することにより、ペア管理手段が、ペア情報記憶手段に前記受信した電話アドレスと一致するものがない場合、電話と情報処理端末のペアの情報に前記受信した電話アドレスと端末アドレスとを含めて前記ペア情報記憶手段に記憶し、前記ペア情報記憶手段に前記受信した電話アドレスと一致するものがある場合、前記一致した電話アドレスを含んでいるペアの情報に含まれる端末アドレスの値を、受信した端末アドレスで上書きして更新するように機能する。
【発明の効果】
【００４０】
本発明によれば、電話と情報処理端末とを直接接続するだけで両端末の連携設定が完了するため、電話と情報処理端末の簡単な端末連携が可能になる。
また、本発明によれば、特殊な装置を別途用いる必要がないため、電話と情報処理端末を安価にして連携することが可能になる。
【発明を実施するための最良の形態】
【００４１】
以下、図面を参照して、本発明の実施の形態に係る端末連携方法、端末連携システム、連携情報送信方法、電話、電話構築用プログラム、情報管理方法、管理装置、管理装置用プログラムについて説明する。尚、各図において、同一部分には同一符号を付している。
先ず、本発明の実施の形態の概要を説明すると、本発明の実施の形態に係る端末連携システムは、ペア管理装置と複数の電話と複数の情報処理端末とを備える。
【００４２】
通常のＩＰ（Internet Protocol）電話機は、非特許文献１の図６のように、電話ポートと情報処理端末等に接続する接続部であるＰＣ（Personal Computer）ポートの２ポートの内蔵ハブを備えている。このような内蔵ハブを備えている理由は、ＩＰ電話機の導入時に、オフィスの各机に１本しかＬＡＮ（Local Area Network）ケーブルが用意されておらず、しかもその１本が既にＰＣに接続済みである場合でも、ＩＰ電話機用にＬＡＮケーブルをもう１本用意するための工事や、ＬＡＮポート数を増やすためのボックス型ハブ装置の追加購入を不要にするためである。
【００４３】
このような場合には、まず、ＬＡＮケーブルを、ＰＣが通常備えるＬＡＮコネクタから外して、ＩＰ電話機の電話ポートにつなぎ変え、次に、ＩＰ電話機の情報処理端末に接続する接続部であるＰＣポート（通信ポート）とＰＣが通常備えるＬＡＮコネクタとを、別の通常のＬＡＮケーブルで接続すれば良い。つまり「ＬＡＮ−ＰＣ」という接続構成を「ＬＡＮ−ＩＰ電話機−ＰＣ」という接続構成に変更するわけである。
【００４４】
なお、当然のことながら、前記図６のような内蔵ハブは、単純にデータを中継するだけの、通常のボックス型ハブ装置と同等の機能しか有していない。つまり、ＩＰ電話用の装置と通常のボックス型ハブ装置とを一体化したものが、非特許文献１に示されるＩＰ電話機である。
本発明の実施の形態では、この内蔵ハブに着目した。ユーザが、電話の内蔵ハブを介して電話と情報処理端末とを直結すると、まず、電話が直結された情報処理端末のアドレスを検出し、次に、電話が自身のアドレスと検出した情報処理端末のアドレスのペアをペア管理装置に送信し、最後に、ペア管理装置において受信したアドレスのペアにより両端末の連携設定が完了する。これにより、前記目的を達成することができる。
【００４５】
以下、本発明の実施の形態について詳細に説明する。
＜第１の実施の形態＞
図１は本発明の各実施の形態に共通して使用するシステム構成図であり、ペア管理装置１０、電話Ａ、電話Ｂがネットワークに接続されており、電話Ａに情報処理端末Ａが直結され、電話Ｂに情報処理端末Ｂが直結されている。
【００４６】
なお、ここでは電話や情報処理端末は２台ずつしか図示していないが、何台あっても構わない。
図２は本発明の第１の実施の形態の詳細構成を示すブロック図である。管理装置１２、電話Ａ、Ｂ、情報処理端末Ａ、Ｂは、少なくともそれらの一部を、コンピュータ及び前記コンピュータが実行するプログラムによって構成することができる。
図３にデータ構造を示す。以下、図１〜図３を用いて説明する。
【００４７】
＜管理装置１２の説明＞
管理装置１２はペア管理装置１０とペア情報記憶装置１１を備えている。ペア管理装置１０は、外部（本実施の形態では電話Ａ、電話Ｂ）と情報の通信を行う。ペア管理装置１０は、電話Ａと電話Ｂからペア登録要求を受信し、ペア情報記憶装置１１に格納する。ペア情報記憶装置１１は、１つ以上の電話と端末のペアの情報である電話・端末ペア４０を格納する。
【００４８】
電話・端末ペア４０は、電話アドレス４１と端末アドレス４２を格納する。
電話アドレス４１は、電話Ａや電話Ｂのアドレス情報である。具体的には、例えば電話番号、ＳＩＰ（Session Initiation Protocol）アドレス、ＩＰアドレス、ＭＡＣアドレス（Media Access Control address）などであるが、これに限定されるものではない。
端末アドレス４２は、情報処理端末Ａや情報処理端末Ｂのアドレス情報である。具体的には、例えば電話番号、ＳＩＰアドレス、ＩＰアドレス、ＭＡＣアドレスなどであるが、これに限定されるものではない。
【００４９】
＜電話Ａの説明＞
電話Ａは外部（本実施の形態では管理装置１２、情報処理端末Ａ、電話Ｂ）と情報の通信を行う。
電話Ａは、通信手段Ａ２０と電話アドレス記憶装置Ａ２１とデータ中継手段Ａ２２と端末アドレス検出手段Ａ２３から構成される。
電話Ａは、固定電話、携帯電話、スマートフォン（ＰＤＡ機能付き携帯電話）、街頭マルチメディア端末、車載端末、ネットワーク接続機能付きテレビ、ネットワーク接続機能付きセットトップボックス、ネットワーク接続機能付きゲーム機、外部と情報をやり取りする機能を備えたその他の類似装置であってよい。
【００５０】
なお、電話Ｂの電話の構成は、電話Ａと同一であるため、説明は省略する。
通信手段Ａ２０は、データ中継手段Ａ２２を介して通信手段Ｂ２０と音声の送受信を行う。また、ダイヤルキー、マイクその他の各種入力機能と、ディスプレイ、スピーカーその他の各種出力機能とを備える。
電話アドレス記憶装置Ａ２１は、電話アドレス５０を格納する。
電話アドレス５０は、電話Ａのアドレス情報である。具体的には、例えば電話番号、ＳＩＰアドレス、ＩＰアドレス、ＭＡＣアドレスなどであるが、これに限定されるものではない。
【００５１】
データ中継手段Ａ２２は、内蔵ハブに相当し、通信手段Ａ２０や端末アドレス検出手段Ａ２３や電話Ａに直結された通信手段Ａ３０が送受信する通信データを中継する。
端末アドレス検出手段Ａ２３は、電話Ａに直結された情報処理端末Ａの端末アドレス６０を検出する。具体的な検出方法は、動作の説明の際に詳説する。また、電話アドレス５０と端末アドレス６０とをペア管理装置１０へ送信する。
【００５２】
＜情報処理端末Ａの説明＞
情報処理端末Ａは外部（本実施の形態では電話Ａ、電話Ｂ、情報処理端末Ｂ）と情報の通信を行う。
情報処理端末Ａは、通信手段Ａ３０と端末アドレス記憶装置Ａ３１から構成される。
情報処理端末Ａは、パーソナルコンピュータ（ＰＣ）、携帯型コンピュータ（ＰＤＡ）、スマートフォン（ＰＤＡ機能付き携帯電話）、街頭マルチメディア端末、車載端末、ネットワーク接続機能付きテレビ、ネットワーク接続機能付きセットトップボックス、ネットワーク接続機能付きゲーム機、外部と情報をやり取りする機能を備えたその他の類似装置であってよい。
【００５３】
なお、情報処理端末Ｂの情報処理端末の構成は、情報処理端末Ａと同一であるため、説明は省略する。
通信手段Ａ３０は、テキストや画像などを含む文書データを他のユーザとリアルタイムに閲覧や共同編集するデータ共有アプリケーションが稼動し、データ中継手段Ａ２２を介して通信手段Ｂ３０とデータの送受信を行う。また、マウス、キーボード、マイクその他の各種入力機能と、ディスプレイ、スピーカーその他の各種出力機能とを備える。
端末アドレス記憶装置Ａ３１は、端末アドレス６０を格納する。
【００５４】
端末アドレス６０は、情報処理端末Ａのアドレス情報である。具体的には、例えば電話番号、ＳＩＰアドレス、ＩＰアドレス、ＭＡＣアドレスなどであるが、これに限定されるものではない。
尚、ペア管理装置１０はペア管理手段を構成し、ペア情報記憶装置１１はペア情報記憶手段を構成し、電話アドレス記憶装置Ａ２１は電話アドレス記憶手段を構成し、端末アドレス記憶装置Ａ３１は端末アドレス記憶手段を構成している。また、端末アドレス検出手段Ａ２３は端末アドレスを特定する端末アドレス特定手段を構成している。
【００５５】
＜第１の実施の形態の動作の説明＞
次に、図４のフロー図を参照して本第１の実施の形態の動作について詳細に説明する。
説明の都合上、ユーザＡが電話Ａと情報処理端末Ａを所有しているという場面を題材に説明する。なお、電話Ｂと情報処理端末Ｂにおいても、電話Ａと情報処理端末Ａと同様な動作が行われるが、説明は省略する。
【００５６】
なお、ステップ７０は、電話Ａの電源投入時に実行しても良いし、内蔵ハブに相当するデータ中継手段Ａ２２が情報処理端末Ａのリンクアップを特定した時に実行しても良いし、通信手段Ａ２０がユーザから端末アドレスを特定する処理の指示を受け取った時に実行しても良いし、繰り返して実行するようにしてもよい。繰り返して実行する場合は、定期的に、あるいは、時間的にランダムに繰り返して行うようにしてもよい。
【００５７】
■ステップ７０
端末アドレス検出手段Ａ２３が、次のような処理を行うことで、電話Ａに直結された情報処理端末Ａの端末アドレス６０の特定を試みる。
端末アドレス検出手段Ａ２３が、まず、データ中継手段Ａ２２を通過する、情報処理端末Ａが送信したパケットをキャプチャする。キャプチャするパケットは、情報処理端末Ａが送信した任意のパケットで良い（Ｗｅｂのパケットでもメールのパケットでも、何でも良い）。次に、キャプチャしたパケットのＩＰヘッダから、送信元アドレスを採取する。これは、情報処理端末Ａの端末アドレス６０と同値である。
【００５８】
ここで、情報処理端末Ａの端末アドレス６０の形態がＩＰアドレスであることを前提に説明したが、この形態がＭＡＣアドレスである場合には、キャプチャしたパケットのＭＡＣヘッダから、送信元アドレスを採取すれば良い。
また、情報処理端末Ａが受信する予定の任意のパケットをキャプチャし、宛先アドレスを採取しても良い。
【００５９】
■ステップ７１
ステップ７０において、情報処理端末Ａの端末アドレス６０が特定できたかどうかを判定する。特定していればステップ７２に進み、特定していなければステップ７０に戻る。
■ステップ７２
端末アドレス検出手段Ａ２３が、電話アドレス記憶装置Ａ２１内の電話アドレス５０と、ステップ７０において特定した端末アドレス６０とをペア管理装置１０へ送信する。
【００６０】
■ステップ７３
ペア管理装置１０が、まず、全電話アドレス４１を検索し、受信した電話アドレス５０と一致するものがあるかを確認する。次に、検索がヒットしなかったら、電話・端末ペア４０を新規に生成し、受信した電話アドレス５０と端末アドレス６０とを、それぞれ電話アドレス４１と端末アドレス４２としてその電話・端末ペア４０に格納する。
【００６１】
検索がヒットしたら、その電話・端末ペア４０の端末アドレス４２の値を、受信した端末アドレス６０で上書きして更新する。
このように、ユーザが電話と情報処理端末とを直接接続しておくだけで、自動的に両端末の連携設定が完了する。また、特殊な装置を別途追加購入する必要もない。そのため、電話と情報処理端末の簡単な端末連携方法を提供することができる。また、電話と情報処理端末の安価な端末連携方法を提供することができる。
【００６２】
次に、本発明の第２の実施の形態について説明する。
本発明の第２の実施の形態では、端末アドレス検出手段Ａ２３が、内蔵ハブに相当するデータ中継手段Ａ２２が学習するＭＡＣアドレステーブルを参照することで、情報処理端末Ａの端末アドレス６０を検出する。
【００６３】
データ中継手段Ａ２２は内蔵ハブに相当するため、通常のボックス型ハブ装置と同様に、非特許文献２に記載されているように、各ポートに接続されている装置のＭＡＣアドレスを学習し、各ポートと学習したＭＡＣアドレスの組を、ＭＡＣアドレステーブルとして管理する。尚、ＭＡＣアドレステーブルは、各ポートと学習したＭＡＣアドレスを対応付けて格納したテーブルである。また、ポートは、情報処理端末に接続する電話の接続部である。
図４のフロー図を参照して本実施の形態の動作について説明する。
【００６４】
■ステップ７０
端末アドレス検出手段Ａ２３が、データ中継手段Ａ２２が管理する図示しないＭＡＣアドレステーブルを参照し、ＰＣポートに対応するＭＡＣアドレスを採取する。これは、情報処理端末Ａの端末アドレス６０と同値である。
ここで、情報処理端末Ａの端末アドレス６０の形態がＭＡＣアドレスであることを前提に説明したが、この形態がＩＰアドレスである場合には、非特許文献３に記載のプロトコルＲＡＲＰ（Reverse Address Resolution Protocol）を用いて、採取したＭＡＣアドレスに対応するＩＰアドレスを取得すれば良い。
【００６５】
ＲＡＲＰはプロトコルＡＲＰ（Address Resolution Protocol）に似ており、ＡＲＰがＩＰアドレスをネットワークにブロードキャストして対応するＭＡＣアドレスを得るのに対し、ＲＡＲＰでは逆に、ＭＡＣアドレスをブロードキャストして対応するＩＰアドレスを得ることができる。
ステップ７１以降の動作は、前記第１の実施の形態の動作と同一であるので、説明は省略する。
【００６６】
次に、本発明の第３の実施の形態について説明する。
本発明の第３の実施の形態では、端末アドレス検出手段Ａ２３が通信手段Ａ３０に問合せを行うことで、情報処理端末Ａの端末アドレス６０を特定する。
図４のフロー図を参照して本実施の形態の動作について説明する。
【００６７】
■ステップ７０
まず、端末アドレス検出手段Ａ２３が、データ中継手段Ａ２２を介して通信手段Ａ３０に端末アドレス６０を要求する。次に、通信手段Ａ３０が、端末アドレス記憶装置Ａ３１内の端末アドレス６０を取得し、端末アドレス検出手段Ａ２３に返信する。ここで、情報処理端末Ａの端末アドレス６０の形態は、電話番号、ＳＩＰアドレス、ＩＰアドレス、ＭＡＣアドレス、その他の類似のアドレス情報であって良い。
ステップ７１以降の動作は、第１の発明を実施するための最良の形態の動作と同一であるので、説明は省略する。
【００６８】
以上述べたように本発明の実施の形態によれば、電話Ａが、少なくとも電話Ａに接続される情報処理端末Ａが送受信する通信データを中継して情報処理端末Ａの端末アドレス６０を特定し、電話アドレス記憶装置Ａ２１に記憶した自己の電話アドレス５０と端末アドレス６０とを管理装置１２へ送信し、管理装置１２が、前記電話アドレス５０と前記端末アドレス６０とを電話Ａから受信して、前記電話アドレス５０と前記端末アドレス６０とをペア情報記憶装置１１に記憶することを特徴とする端末連携方法が提供される。
【００６９】
また、本発明の実施の形態によれば、電話Ａの電話アドレス４１と情報処理端末Ａの端末アドレス４２とを含むペア４０の情報を記憶するペア情報記憶装置１１と、電話アドレス５０と端末アドレス６０とを電話から受信してペア情報記憶装置１１に記憶するペア管理装置１０とを有する管理装置１２と、
自己の電話アドレスを記憶する電話アドレス記憶装置Ａ２１と、少なくとも電話Ａに接続される情報処理端末Ａが送受信する通信データを中継するデータ中継手段Ａ２２と、前記データ中継手段Ａ２２が中継する通信データから前記情報処理端末Ａの端末アドレス６０を特定し前記電話アドレス５０と前記端末アドレス６０とを前記ペア管理装置１０へ送信する端末アドレス特定手段Ａ２３とを有する電話Ａとを備えて成ることを特徴とする端末連携システムが提供される。
【００７０】
また、本発明の実施の形態によれば、自己の電話アドレス５０を記憶する電話アドレス記憶装置Ａ２１と、少なくとも電話Ａに接続される情報処理端末Ａが送受信する通信データを中継するデータ中継手段Ａ２２と、前記データ中継手段Ａ２２が中継する通信データから前記情報処理端末Ａの端末アドレス６０を特定し前記電話アドレス５０と前記端末アドレス６０とを外部へ送信する端末アドレス特定手段Ａ２３とを備えることを特徴とする電話が提供される。
【００７１】
また、本発明の実施の形態によれば、少なくとも電話Ａに接続された情報処理端末Ａが送受信する通信データを中継して、前記情報処理端末Ａの端末アドレス６０を特定し、電話アドレス記憶装置Ａ２１に記憶した電話アドレス５０と前記端末アドレス６０とを送信することを特徴とする連携情報送信方法が提供される。
【００７２】
また、本発明の実施の形態によれば、コンピュータを、少なくとも電話Ａに接続される情報処理端末Ａが送受信する通信データを中継するデータ中継手段Ａ２２と、前記データ中継手段Ａ２２が中継する通信データから前記情報処理端末Ａの端末アドレス６０を特定し、電話アドレス記憶装置Ａ２１に記憶した電話アドレス５０と前記端末アドレス６０とを外部へ送信する端末アドレス特定手段Ａ２３として機能させることを特徴とするプログラムが提供される。
【００７３】
また、本発明の実施の形態によれば、外部から受信した電話アドレス５０に一致する電話アドレス５０がペア情報記憶装置１１に記憶されていない場合、電話と情報処理端末とのペアの情報に前記受信した電話アドレス５０と受信した端末アドレス６０とを含めて前記ペア情報記憶装置１１に記憶し、前記ペア情報記憶装置１１に前記受信した電話アドレス５０と一致するものがある場合、前記一致した電話アドレス５０を含んでいるペア４０の情報に含まれる端末アドレス６０の値を、受信した端末アドレス６０で上書きして更新することを特徴とする情報管理方法が提供される。
【００７４】
また、本発明の実施の形態によれば、電話と情報処理端末とのペア４０の情報を記憶するペア情報記憶装置１１と、外部から電話アドレス５０と端末アドレス６０を受信して前記ペア情報記憶装置１１に記憶するペア管理装置１０とを備え、
前記ペア管理装置１０は、前記ペア情報記憶装置１１に前記受信した電話アドレス５０と一致するものがない場合、電話と情報処理端末のペア４０の情報に前記受信した電話アドレス５０と端末アドレス６０とを含めて前記ペア情報記憶装置１１に記憶し、前記ペア情報記憶装置１１に前記受信した電話アドレス５０と一致するものがある場合、前記一致した電話アドレス５０を含んでいるペア４０の情報に含まれる端末アドレス６０の値を、受信した端末アドレス６０で上書きして更新することを特徴とする管理装置１２が提供される。
【００７５】
また、本発明の実施の形態によれば、コンピュータを、外部から電話アドレス５０と端末アドレス６０を受信してペア情報記憶装置１１に記憶するペア管理装置１０とを備え、
前記ペア管理装置１０が、前記ペア情報記憶装置１１に前記受信した電話アドレス５０と一致するものがない場合、電話と情報処理端末のペア４０の情報に前記受信した電話アドレス５０と端末アドレス６０とを含めて前記ペア情報記憶装置１１に記憶し、前記ペア情報記憶装置１１に前記受信した電話アドレス５０と一致するものがある場合、前記一致した電話アドレス５０を含んでいるペア４０の情報に含まれる端末アドレス６０の値を、受信した端末アドレス６０で上書きして更新するように機能させることを特徴とするプログラムが提供される。
【００７６】
このように、本発明の実施の形態によれば、ユーザが、電話Ａの内蔵ハブに相当するデータ中継手段Ａ２２を介して電話Ａと情報処理端末Ａとを接続すると、まず、電話Ａが接続された情報処理端末Ａのアドレス６０を検出し、次に、電話Ａが自身の電話アドレス５０と検出した情報処理端末Ａの端末アドレス６０を管理装置１２のペア管理装置１０に送信し、これらのアドレスをペア管理装置１０においてペア情報記憶装置１１に記憶し、受信したアドレスのペアにより両端末Ａ、Ａの連携設定が完了する。電話と情報処理端末とを接続するだけで両端末の連携設定が完了するため、電話と情報処理端末の簡単な端末連携が可能になる。
【００７７】
また、本発明の実施の形態によれば、特殊な装置を別途用いる必要がないため、電話と情報処理端末を安価にして連携することが可能になるという効果を奏する。
また、本発明の実施の形態によれば、企業内ネットワークのＳＩ事業者や、通信事業者、ＩＳＰ事業者向けに、電話サービスに対する付加価値サービスを創出することができる。
【００７８】
例えば、２人のユーザがそれぞれ自分の電話と自分の情報処理端末とを直接接続している場合に、本発明の実施の形態と特許文献１とを組み合わせることにより、両ユーザが電話での音声通話を開始すると、情報処理端末に各自の電話の電話番号を手動で入力しなくても、両ユーザの情報処理端末の間で、自動的にデータ共有を開始することができる。
【００７９】
また、あるユーザが自分の電話と自分の情報処理端末とを直接接続しており、かつ、情報処理端末にソフトフォンが稼動しており、そのユーザの電話機（ハードフォン）が自身のアドレス（ハードフォンの電話番号）と情報処理端末のアドレス（ソフトフォンの電話番号）とをペア管理装置に送信した場合に、本発明の実施の形態と特許文献２とを組み合わせることにより、ペア管理装置において受信したハードフォンとソフトフォンの電話番号をグループ化して、グループの代表番号としてハードフォンまたはソフトフォンまたは新たな電話番号を割当てることで、その代表番号に電話着信があった場合に、そのユーザの電話と情報処理端末の両方を一斉呼出しすることができる。
尚、前記各実施の形態では、電話として固定電話を用いた例で説明したが、携帯電話でもよい。
【実施例】
【００８０】
次に、本発明の実施例について説明する。
直接接続された電話Ａと情報処理端末Ａの連携設定と、直接接続された電話Ｂと情報処理端末Ｂの連携設定とが、どのように行われるかを、図４と図５を用いて説明する。
電話Ａの電話アドレスＡ５０が電話番号（ここでは企業内の内線番号を想定）の形態をしており値が「１００１」で、情報処理端末Ａの端末アドレスＡ６０がＩＰアドレスの形態をしており値が「１９２．１６８．０．７」で、電話Ｂの電話アドレスＢ５０が電話番号の形態をしており値が「１００２」で、情報処理端末Ｂの端末アドレスＢ６０がＩＰアドレスの形態をしており値が「１９２．１６８．０．８」であることを前提として説明する。また、電話・端末ペア４０は１つも登録されていないものとする。
【００８１】
ステップ７０において、端末アドレス検出手段Ａ２３が端末アドレスＡ６０の検出を試み、端末アドレス検出手段Ｂ２３が端末アドレスＢ６０の検出を試みる。正常に検出できたとすると、ステップ７１の判定後、ステップ７２に進み、端末アドレス検出手段Ａ２３が、電話アドレスＡ５０と端末アドレスＡ６０とをペア管理装置１０へ送信し、端末アドレス検出手段Ｂ２３が、電話アドレスＢ５０と端末アドレスＢ６０とをペア管理装置１０へ送信する。
【００８２】
ステップ７３において、まず、ペア管理装置１０が、全電話アドレス４１を検索し、受信した電話アドレスＡ５０や電話アドレスＢ５０と一致するものがあるかを確認する。検索がヒットしないため、電話・端末ペアＡ４０を新規に生成し、受信した電話アドレスＡ５０と端末アドレスＡ６０とを、それぞれ電話アドレスＡ４１と端末アドレスＡ４２として電話・端末ペアＡ４０に格納し、電話・端末ペアＢ４０を新規に生成し、受信した電話アドレスＢ５０と端末アドレスＢ６０とを、それぞれ電話アドレスＢ４１と端末アドレスＢ４２として電話・端末ペアＢ４０に格納する。
【産業上の利用可能性】
【００８３】
ＰＣ等の情報処理端末と固定電話や携帯電話等の電話を連携する各種の端末連携システム、方法、装置、プログラム等に利用可能である。
【図面の簡単な説明】
【００８４】
【図１】本発明の実施の形態におけるネットワーク構成を示すブロック図
【図２】本発明の実施の形態の詳細構成を示すブロック図
【図３】本発明の実施の形態におけるデータ構造を示す図
【図４】本発明の実施の形態の動作を示すフロー図
【図５】本発明の実施例におけるデータ構造を示す図
【図６】従来のＩＰ電話機の内蔵ハブの説明図
【符号の説明】
【００８５】
１０・・・ペア管理装置
１１・・・ペア情報記憶装置
１２・・・管理装置
Ａ２０、Ｂ２０・・・通信手段
Ａ２１、Ｂ２１・・・電話アドレス記憶装置
Ａ２２、Ｂ２２・・・データ中継手段
Ａ２３、Ｂ２３・・・端末アドレス検出手段
Ａ３０、Ｂ３０・・・通信手段
Ａ３１、Ｂ３１・・・端末アドレス記憶装置
４０・・・電話・端末ペア
４１・・・電話アドレス
４２・・・端末アドレス
５０・・・電話アドレス
６０・・・端末アドレス
【図１】
2009188467.tif 000003
【図２】
2009188467.tif 000004
【図３】
2009188467.tif 000005
【図４】
2009188467.tif 000006
【図５】
2009188467.tif 000007
【図６】
2009188467.tif 000008